(57)【要約】【課題】本発明は、スマート化され、且つ節電の操作を行うことができる電子装置及びその節電方法を提供することを目的とする。【解決手段】本発明の電子装置節電方法は、入力装置を介して入力操作あるかどうかを監視するステップと、入力装置を介して入力操作がない場合、ユーザが入力したパラメーターを導入し、該ユーザが入力したパラメーターは、節電操作パラメーターを備え、節電操作パラメーターが、節電操作を実行するステップと、顔の特徴があるかどうかを識別するステップと、顔の特徴がない場合、電源制御モジュールが節電操作を実行するステップと、を備える。【選択図】図３
2014146317.tif 000002
【特許請求の範囲】
【請求項１】
電子装置節電方法において、
入力装置を介して入力操作あるかどうかを監視するステップと、
前記入力装置を介して入力操作がない場合、ユーザが入力したパラメーターを導入し、該ユーザが入力したパラメーターは、節電操作パラメーターを備え、前記節電操作パラメーターが、節電操作を実行するステップと、
顔の特徴があるかどうかを識別するステップと、
顔の特徴がない場合、電源制御モジュールが節電操作を実行するステップと、を備えることを特徴とする電子装置節電方法。
【請求項２】
前記ユーザが入力したパラメーターは、更に予備時間パラメーターを備え、前記節電操作パラメーターは、第一節電操作及び第二節電操作を実行し、
前記電源制御モジュールが節電操作を実行するステップは、前記電源制御モジュールが、前記第一節電操作を実行し、
前記電子装置節電方法は、更に前記第一節電操作を実行した後、前記ユーザが入力したパラメーターによって、顔の特徴があるかどうかを識別するステップを備え、前記顔の特徴がない場合、前記第二節電操作を実行することを特徴とする請求項１に記載の電子装置節電方法。
【請求項３】
前記第一節電操作は、ディスプレイをオフにし、前記第二節電操作は、システムを待機状態にすることを特徴とする請求項２に記載の電子装置節電方法。
【請求項４】
前記電子装置節電方法において、更に入力監視モジュールは、続けて入力操作があるかどうかを監視し、入力操作がある場合、前記電源制御モジュールが、前記電子装置を作業状態にすることを特徴とする請求項１に記載の電子装置節電方法。
【請求項５】
映像識別モジュールが前記顔の特徴があるかどうかを識別するステップは、更に目の特徴があるかどうかを識別するステップを備えることを特徴とする請求項１に記載の電子装置節電方法。
【請求項６】
映像識別モジュールが前記目の特徴があるかどうかを識別するステップは、閃光と同時に写真を一枚撮り、前記映像識別モジュールは、撮影された写真に検出された目が赤くなっている特徴があるかどうかを分析するステップを備えることを特徴とする請求項５に記載の電子装置節電方法。
【請求項７】
映像識別モジュールが前記目の特徴があるかどうかを識別するステップは、閃光すると同時に、第一写真を一枚撮り、また、閃光しない状態で第二写真を一枚撮り、前記映像識別モジュールは、前記第一写真と前記第二写真とを比べ、且つ前記第一写真に目が赤くなっている特徴があるかどうかを分析するステップを備えることを特徴とする請求項５に記載の電子装置節電方法。
【請求項８】
電子装置において、
入力装置を介して入力操作あるかどうかを監視する入力監視モジュールと、
前記入力装置を介して入力操作がない場合、ユーザが入力したパラメーターを導入し、該ユーザが入力したパラメーターは、節電操作パラメーターを備える映像識別モジュールと、
前記映像識別モジュールは、顔の特徴があるかどうかを識別し、
顔の特徴がない場合、節電操作を実行する電源制御モジュールと、を備えることを特徴とする電子装置。
【請求項９】
前記ユーザが入力したパラメーターは、更に予備時間パラメーターを備え、前記節電操作パラメーターは、第一節電操作及び第二節電操作を実行し、前記電源制御モジュールは、前記第一節電操作を実行し、前記予備時間が経過すると、前記映像識別モジュールは、更に顔の特徴があるかどうかを識別し、顔の特徴がない場合、前記第二節電操作を実行することを特徴とする請求項８に記載の電子装置。
【請求項１０】
前記第一節電操作は、ディスプレイをオフにし、前記第二節電操作は、システムを待機状態にすることを特徴とする請求項８に記載の電子装置。
【発明の詳細な説明】
【技術分野】
【０００１】
本発明は、電子装置及びその節電方法に関するものである。
【背景技術】
【０００２】
度々電子装置をオフにしたまま、使用しない場合がある。このような場合、該電子装置の電源を制御することはできないので、電力の浪費を引き起こす。故に、現在、一般のコンピュータのシステムには、設定された時間に合わせて待機する待機機能或いはコンピュータをオフするオフ機能を有する。即ち、操作システム中に設定された待機時間に合わせて、スクリーンをオフする或いは待機状態にして節電する。しかし、待機時間を短く設定した場合、ユーザが電子装置を使用している際もスクリーンがオフになってしまうので不便である。例えば、ユーザがパソコンを利用して、ＰＰＴファイルを開きながら会議を行っている際、説明が長引いている間、入力操作を行わないために、スクリーンが自動的に待機状態になる。また、待機時間を長く設定した場合、電子装置を使用していない時もスクリーンがオンのままであるので、電源の浪費を招く。
【発明の概要】
【発明が解決しようとする課題】
【０００３】
以上の問題点に鑑みて、本発明は、スマート化され、且つ節電の操作を行うことができる電子装置及びその節電方法を提供することを目的とする。
【課題を解決するための手段】
【０００４】
上記の課題を解決するために、本発明の電子装置節電方法は、入力装置を介して入力操作があるかどうかを監視するステップと、前記入力装置を介して入力操作がない場合、ユーザが入力したパラメーターを導入し、該ユーザが入力したパラメーターは、節電操作パラメーターを備え、前記節電操作パラメーターが、節電操作を実行するステップと、顔の特徴があるかどうかを識別するステップと、顔の特徴がない場合、電源制御モジュールが節電操作を実行するステップと、を備える。
【０００５】
上記の課題を解決するために、本発明の電子装置は、入力装置を介して入力操作あるかどうかを監視する入力監視モジュールと、前記入力装置を介して入力操作がない場合、ユーザが入力したパラメーターを導入し、該ユーザが入力したパラメーターは、節電操作パラメーターを備える映像識別モジュールと、前記映像識別モジュールは、顔の特徴があるかどうかを識別し、顔の特徴がない場合、節電操作を実行する電源制御モジュールと、を備える。
【発明の効果】
【０００６】
本発明の電子装置及びその節電方法は、顔の特徴の識別によって、電子装置を作業状態或いは節電状態に切り換えることができるため、有効に節電することができる。
【図面の簡単な説明】
【０００７】
【図１】本発明に係る電子装置の機能モジュールの構造図である。
【図２】本発明に係る電子装置のパラメーター設定のウィンドウを示す図である。
【図３】本発明に係る電子装置節電方法の流れ図である。
【図４】本発明に係る電子装置の映像識別モジュールが識別する過程を示す図である。
【発明を実施するための形態】
【０００８】
以下、図面に基づいて、本発明に係る電子装置及びその節電方法について詳細に説明する。図１に示したように、電子装置１００は、電源制御モジュール１０、入力監視モジュール３０及び映像識別モジュール４０を備える。電源制御モジュール１０は、入力監視モジュール３０及び映像識別モジュール４０とに接続され、且つ１つのディスプレイ１２と接続される。入力監視モジュール３０は、１つの入力装置３２と接続される。映像識別モジュール４０は、カメラ４２及び閃光灯４４とに接続され、且つ複数の特徴が保存されているデータベースと接続されている。該複数の特徴が保存されているデータベースは、顔特徴データベース８０を備える。顔特徴データベース８０は、顔特徴を識別する規則を備える。顔特徴データベース８０は、本地データベース或いは遠隔データベースである。
【０００９】
電子装置１００は、デスクトップ型パソコン、タブレットパソコン、デスクトップコンピュータ、テレビ等である。
【００１０】
電源制御モジュール１０は、コンピュータシステムの中央処理器、電源及び操作システムの電源制御を行うソフトウェアの集合である。電源制御モジュール１０は、ディスプレイ１２をオン或いはオフすることができ、且つ電子装置１００を節電モードにする或いは節電モードをオフにすることができる。節電モードは、待機モード或いはオフモードを備える。
【００１１】
入力監視モジュール３０は、入力装置３２の入力操作を監視する。入力装置３２は、マウス、キーボード、タッチパネル、マイクロフォン、映像入力などである。
【００１２】
映像識別モジュール４０は、カメラ４２を介して、顔の特徴の映像識別を行って、電子装置１００が使用されているかどうかを判断する。顔の特徴の識別とは、顔の物理的な特徴及び電子装置を使用する際の顔の特徴の識別である。映像識別モジュール４０が電子装置１００の周辺の映像を取得した際、映像識別モジュール４０は、顔特徴データベース８０の顔の特徴を識別する規則を利用して、取得した映像に、顔の特徴が存在するかどうかを判断する。例えば、顔の特徴を識別する規則は、顔の輪郭、目、鼻、口の形状とそれらの幾何学的位置関係によって、顔の物理的な特徴が存在するかどうかを判断する。
【００１３】
顔の輪郭、目、鼻、口の形状とそれらの幾何学的位置関係によって識別する際、映像識別モジュール４０は、更に、電子装置を使用する際の顔の特徴によって、電子装置１００が使用されているかどうかを判断する。例えば、目が開いているかどうかの特徴によって判断する。しかし、顔の輪郭或いは目、鼻、口との間の幾何学的位置関係によって、顔の存在を識別する際、ユーザが電子装置１００の前に位置し、ユーザが必ずその電子装置１００を使用すると限らない。例えば、ユーザが電子装置１００の前で、電子装置１００を使用しないで、目を閉じて休憩する場合がある。このような場合、顔の物理的な特徴が識別された後、更に具体的に電子装置を使用する際の顔の特徴を判断する。映像識別モジュール４０は、更に、顔特徴データベース８０の顔の特徴を識別する規則によって、電子装置１００が使用されているかどうかを判断する。
【００１４】
また、独立して、目の特徴の識別を利用して、電子装置１００が使用されているかどうかを判断することもできる。
【００１５】
他の実施形態において、映像識別モジュール４０は、目の反射方式によって、目の特徴の識別を行わず、顔の特徴を判断する。例えば、デジタルカメラによって、写真を撮る際、目が赤くなる現象が起こる。即ち、閃光灯４４の光線が、目に当たった際、瞳孔が拡大し、且つ多くの光線が通過して、写真において、網膜の血管が赤くなっている現象が発生する。本実施形態においては、この目が赤くなる現象を利用して、目の特徴の識別が行われる。例えば、閃光灯４４が、閃光すると同時に、写真を一枚撮り、映像識別モジュール４０は、その写真の中から目が赤くなっている特徴があるかどうかを識別する。映像識別モジュール４０は、閃光すると同時に、第一写真を一枚撮り、また、閃光しない状態で第二写真を一枚撮る。ここで、第一写真と第二写真とは、連続して撮った写真であることが好ましい。映像識別モジュール４０は、第一写真と第二写真とを比べ、且つ第一写真に目が赤くなっている特徴があるかどうかを分析する。このように、写真を比べる方法によって、簡単に目が赤くなっている特徴を識別することができる。
【００１６】
図１に示したように、電子装置節電方法は、以下のステップ（Ｓ２０１〜Ｓ２１１）を備える。ステップＳ２０１において、入力監視モジュール３０は、入力された予備時間内で、入力装置３２を監視する。例えば、入力された予備時間内にマウス、キーボードを介して、電子装置１００への入力操作があったかどうかを監視する。予備時間内にマウス、キーボードを介して、電子装置１００への入力操作があった場合、ステップＳ２０１をもう１度実行し、予備時間内にマウス、キーボードを介して、電子装置１００への入力操作がなかった場合、ステップＳ２０３に進む。
【００１７】
ステップＳ２０３において、映像識別モジュール４０は、ユーザが入力したパラメーターを導入する。該ユーザが入力したパラメーターは、予備時間パラメーター及び少なくとも１つの節電操作パラメーターを備える。節電操作パラメーターは、ディスプレイ１２のオフ、電子装置１００の待機状態等の操作を実行する。図３に示したように、ユーザが入力したパラメーターは、パラメーター設定のウィンドウを利用して、所定の時間パラメーターを設定し、異なる節電操作によって、異なる所定の時間パラメーターを設定する。
【００１８】
ステップＳ２０５において、映像識別モジュール４０は、顔の特徴があるかどうかを識別する。映像識別モジュール４０は、顔の輪郭、目、鼻、口の形状とそれらの幾何学的位置関係によって、顔の物理的な特徴があるかどうかを識別する或いは目の反射方式によって、電子装置を使用する際の顔の特徴を取得する。顔の特徴がある場合、ステップＳ２０１に戻り、顔の特徴がない場合、ステップＳ２０７に進む。
【００１９】
ステップＳ２０７において、電源制御モジュール１０は、第一節電操作を実行する。例えば、ディスプレイ１２をオフする。
【００２０】
ステップＳ２０９において、映像識別モジュール４０は、予備時間が経過すると、もう１度顔の特徴があるかどうかを識別する。また、映像識別モジュール４０は、顔の輪郭、目、鼻、口の形状とそれらの幾何学的位置関係によって、顔の物理的な特徴があるかどうかを識別する或いは目の反射方式によって、電子装置を使用する際の顔の特徴を取得する。顔の特徴がある場合、ステップＳ２０１に戻り、顔の特徴がない場合、ステップＳ２１１に進む。
【００２１】
ステップＳ２１１において、電源制御モジュール１０は第二節電操作を実行する。例えば、待機状態に入る。
【００２２】
入力監視モジュール３０は、続けて入力操作があるどうかを監視し、入力操作がある場合、電源制御モジュール１０は、電子装置１００を作業状態にする。
【００２３】
他の実施形態において、ステップ２０３及びステップ２０５は、互いにその順番を換える或いは同時に実行することができる。時間パラメーターが０である場合、映像識別モジュール４０は、もう１度節電操作を実行する。
【００２４】
図４に示したように、映像識別モジュール４０が識別する距離は、７５ｃｍを越えない。
【符号の説明】
【００２５】
１００  電子装置
１０  電源制御モジュール
１２  ディスプレイ
３０  入力監視モジュール
３２  入力装置
４０  映像識別モジュール
４２  カメラ
４４  閃光灯
８０  顔特徴データベース
【図１】
2014146317.tif 000003
【図２】
2014146317.tif 000004
【図３】
2014146317.tif 000005
【図４】
2014146317.tif 000006